【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
記録媒体に転写するための現像剤による画像が形成される回転可能な像担持体を有する画像形成装置に搭載され、少なくとも、前記像担持体に残留した現像剤を清掃するクリーニング部材と、前記クリーニング部材で清掃された現像剤を収容するクリーニング容器と、前記像担持体に弾性を持って当接するシート部材と、を具備するクリーニング装置であって、
前記クリーニング容器は、前記像担持体に対向する開口であって、前記クリーニング部材により前記像担持体から掻き取られた現像剤が入る開口を有し、
前記開口の前記像担持体の回転方向上流側には前記シート部材の固定面を有し、
前記シート部材は前記像担持体と当接した端部の他端側が前記固定面に固定されており、
前記像担持体と前記シート部材との当接接点の接平面に対し前記当接接点を基準にした場合に前記像担持体の回転方向とは反対側への長さに関し、前記像担持体の回転軸方向における前記固定面の端部が、前記固定面の中央より長くなっていることを特徴とするクリーニング装置。
【請求項２】
前記固定面の両端部が、前記固定面の中央よりも長くなっていることを特徴とする請求項１に記載のクリーニング装置。
【請求項３】
前記固定面は、前記像担持体の回転軸方向における画像形成領域外において、前記像担持体の回転軸方向に直交する方向に対して、前記開口を有する側とは反対側に画像形成領域の前記固定面より広くなっていることを特徴とする請求項１に記載のクリーニング装置。
【請求項４】
前記シート部材が前記像担持体に向かって中央が凸状になっていることを特徴とする請求項１に記載のクリーニング装置。
【請求項５】
記録媒体に転写するための現像剤による画像が形成される回転可能な像担持体を有する画像形成装置に搭載され、少なくとも、現像剤を担持して前記像担持体に適用する回転可能な現像剤担持体と、前記現像剤担持体に付着した現像剤の層厚を規制する層厚規制部材と、前記現像剤担持体に対する現像剤を収容する現像容器と、前記現像剤担持体に弾性を持って当接するシート部材と、を具備する現像装置であって、
前記現像容器は、前記像担持体に対向する開口を有し、
前記現像剤担持体は前記開口に回転自在に配置されており、
前記開口の前記現像剤担持体の回転方向下流側には前記層厚規制部材が固定されており、
前記開口の前記現像剤担持体の回転方向上流側には前記シート部材の固定面を有し、
前記シート部材は前記現像剤担持体と当接した端部の他端側が前記固定面に固定されており、
前記像担持体と前記シート部材との当接接点の接平面に対し前記当接接点を基準にした場合に前記像担持体の回転方向とは反対側への長さに関し、前記像担持体の回転軸方向における前記固定面の端部が、前記固定面の中央より長くなっていることを特徴とする現像装置。
【請求項６】
前記固定面の両端部が、前記固定面の中央よりも長くなっていることを特徴とする請求項５に記載の現像装置。
【請求項７】
前記固定面は、前記現像剤担持体の回転軸方向における画像形成領域外において、前記現像剤担持体の回転軸方向に直交する方向に対して、前記開口を有する側とは反対側に画像形成領域の前記固定面より広くなっていることを特徴とする請求項５に記載の現像装置。
【請求項８】
前記シート部材が前記像担持体に向かって中央が凸状になっていることを特徴とする請求項５に記載の現像装置。
【請求項９】
記録媒体に転写するための現像剤による画像が形成される回転可能な像担持体と、
請求項１に記載のクリーニング装置と、を有することを特徴とするプロセスカートリッジ。
【請求項１０】
記録媒体に転写するための現像剤による画像が形成される回転可能な像担持体と、
請求項３に記載の現像装置と、を有することを特徴とするプロセスカートリッジ。
【請求項１１】
記録媒体に転写するための現像剤による画像が形成される回転可能な像担持体と、
請求項１に記載のクリーニング装置と、
現像剤が転写された記録媒体を排出するための排出トレイと、を有することを特徴とする画像形成装置。
【請求項１２】
記録媒体に転写するための現像剤による画像が形成される回転可能な像担持体と、
請求項３に記載の現像装置と、
現像剤が転写された記録媒体を排出するための排出トレイと、を有することを特徴とする画像形成装置。
【手続補正２】
【補正対象書類名】明細書
【補正対象項目名】００２８
【補正方法】変更
【補正の内容】
【００２８】
そこで、本発明は、
記録媒体に転写するための現像剤による画像が形成される回転可能な像担持体を有する画像形成装置に搭載され、少なくとも、前記像担持体に残留した現像剤を清掃するクリーニング部材と、前記クリーニング部材で清掃された現像剤を収容するクリーニング容器と、前記像担持体に弾性を持って当接するシート部材と、を具備するクリーニング装置であって、
前記クリーニング容器は、前記像担持体に対向する開口であって、前記クリーニング部材により前記像担持体から掻き取られた現像剤が入る開口を有し、
前記開口の前記像担持体の回転方向上流側には前記シート部材の固定面を有し、
前記シート部材は前記像担持体と当接した端部の他端側が前記固定面に固定されており、
前記像担持体と前記シート部材との当接接点の接平面に対し前記当接接点を基準にした場合に前記像担持体の回転方向とは反対側への長さに関し、前記像担持体の回転軸方向における前記固定面の端部が、前記固定面の中央より長くなっていることを特徴とするクリーニング装置を提供するものである。
【手続補正３】
【補正対象書類名】明細書
【補正対象項目名】００２９
【補正方法】変更
【補正の内容】
【００２９】
また、本発明は、
記録媒体に転写するための現像剤による画像が形成される回転可能な像担持体を有する画像形成装置に搭載され、少なくとも、現像剤を担持して前記像担持体に適用する回転可能な現像剤担持体と、前記現像剤担持体に付着した現像剤の層厚を規制する層厚規制部材と、前記現像剤担持体に対する現像剤を収容する現像容器と、前記現像剤担持体に弾性を持って当接するシート部材と、を具備する現像装置であって、
前記現像容器は、前記像担持体に対向する開口を有し、
前記現像剤担持体は前記開口に回転自在に配置されており、
前記開口の前記現像剤担持体の回転方向下流側には前記層厚規制部材が固定されており、
前記開口の前記現像剤担持体の回転方向上流側には前記シート部材の固定面を有し、
前記シート部材は前記現像剤担持体と当接した端部の他端側が前記固定面に固定されており、
前記像担持体と前記シート部材との当接接点の接平面に対し前記当接接点を基準にした場合に前記像担持体の回転方向とは反対側への長さに関し、前記像担持体の回転軸方向における前記固定面の端部が、前記固定面の中央より長くなっていることを特徴とする現像装置を提供するものであ。
【手続補正４】
【補正対象書類名】明細書
【補正対象項目名】００６３
【補正方法】変更
【補正の内容】
【００６３】
また、クリーニングブレード７によって感光体ドラム４の表面から掻き取られた転写残トナーは、開口部（開口）２６ａより廃トナーとしてクリーニング容器２６の廃トナー収容室（廃現像剤収納室）２６ｂに収容（収納、貯蔵）される。そのためクリーニング容器２６には、感光体ドラム４やクリーニングブレード７との隙間から廃トナーが漏れ出してしまうことを防止するための可撓性を有する廃トナー回収シート部材（可撓性シート部材：シート部材）３８を感光ドラム４の長手方向に固定している。また、クリーニングブレードの長手方向両端部にクリーニングブレード端部シール部材（図不示）が設けられている。
【手続補正５】
【補正対象書類名】明細書
【補正対象項目名】００７０
【補正方法】変更
【補正の内容】
【００７０】
ここで、現像ローラ６の表面に現像ブレード３１で安定的に担持したトナー以外のトナーは現像剤収容室２９ｂに収容される。そのため現像容器２９の開口部（開口）２９ａには、現像ローラ６と現像容器２９の隙間からのトナー漏れを防止するためのトナー封止シート部材（シート部材）３５を固定している。また、現像ブレード３１の長手方向両端部に現像ブレード端部シール部材（不図示）が設けられている。
【手続補正６】
【補正対象書類名】明細書
【補正対象項目名】００９２
【補正方法】変更
【補正の内容】
【００９２】
これまでの構造についてまとめると次のとおりである。感光体ドラム（像担持体）の回転軸方向における固定面の端部が、感光体ドラムと廃トナー回収シート部材（シート部材）の当接接点の接平面に対し当接接点を基準にした場合に感光体ドラムの回転方向とは反対側への長さに関し、感光体ドラムの回転方向における前記の端部が、固定面の中央より長くなっている。